(57)【要約】【課題】  ころ外周面で潤滑不良が生じにくい櫛形の保持器を備えたころ軸受を提供する。【解決手段】  内輪１と外輪２との間に、保持器４に保持された複数のころ３が介在する。保持器４は、環状部５およびこの環状部５の周方向複数箇所から櫛歯状に突出した複数の柱部６を有し、隣合う柱部６の間のポケット７でころ３を保持する。保持器４の各柱部６に、この柱部６のころ案内機能を果たす部分である柱部本体６ａの先端から延長して、潤滑剤を保持する機能を奏する柱部延長部６ｂを設ける。柱部延長部６ｂにおけるころ対向面６ｂａの断面形状が、全面において、柱部本体６ａにおけるころ対向面６ａａよりも、ころ外周面３ａから離れる断面形状である。柱部延長部６ｂのころ配列ピッチ円ｐｃｄ付近となる径方向部分に、潤滑剤を保持する潤滑剤保持凹部９を設ける。【選択図】        図１
2011069460.tif 000002
【特許請求の範囲】
【請求項１】
内輪と外輪との間に、保持器に保持された複数のころが介在し、前記保持器が、環状部およびこの環状部の周方向複数箇所から櫛歯状に突出した複数の柱部を有し、隣合う柱部の間が、ころを保持するポケットとなる櫛形の保持器であるころ軸受において、
前記保持器の前記各柱部に、この柱部のころ案内機能を果たす部分である柱部本体の先端から延長して、潤滑剤を保持する機能を奏する柱部延長部を設け、
前記保持器の前記柱部延長部におけるころ対向面の断面形状が、全面において、前記柱部本体におけるころ対向面よりもころ外周面から離れる断面形状であり、
かつ前記柱部延長部のころ配列ピッチ円付近となる径方向部分に、潤滑剤を保持する潤滑剤保持凹部を設けた、
ことを特徴とするころ軸受。
【請求項２】
請求項１において、前記保持器の前記柱部本体の長さがころ長さよりも短く、かつ前記柱部延長部の先端がころ端面よりも突出したころ軸受。
【請求項３】
請求項１または請求項２において、前記保持器の前記柱部における前記潤滑剤保持凹部を、前記柱部延長部の全長にわたって設けたころ軸受。
【請求項４】
請求項１ないし請求項３のいずれか１項において、前記保持器の前記柱部延長部における前記ころ対向面の径方向の外径端に、ポケット内側に突出する鍔状部を設け、この鍔状部の先端位置を、前記柱部本体のころ対向面よりも微小寸法だけころ外周面から離れる位置としたころ軸受。
【請求項５】
請求項４において、前記保持器の前記柱部延長部のころ対向面の断面形状を、前記鍔状部を除く全体が前記潤滑剤保持凹部となる形状としたころ軸受。
【請求項６】
請求項１ないし請求項５のいずれか１項において、前記保持器の前記柱部延長部の保持器径方向の厚さを、内径側面および外径側面が共に前記柱部本体と同じ径方向位置となる厚さとしたころ軸受。
【請求項７】
請求項１ないし請求項５のいずれか１項において、前記保持器の前記柱部延長部の保持器径方向の厚さを、内径側端が前記柱部本体よりも大径で、かつ外径側端が前記柱部本体と同じ径方向位置となる厚さとしたころ軸受。
【請求項８】
請求項１ないし請求項３のいずれか１項において、前記保持器の前記柱部延長部における前記ころ対向面の径方向の外径端および内径端に、ポケット内側へ突出する鍔状部を設け、これら鍔状部の先端位置を、前記柱部本体のころ対向面よりも微小寸法だけ外周面から離れる位置としたころ軸受。
【請求項９】
請求項８において、前記保持器の柱部延長部における、両側のころ対向面の前記潤滑剤保持凹部間を貫通する貫通孔を設けたころ軸受。
【請求項１０】
請求項１ないし請求項９のいずれか１項において、複列の円筒ころ軸受であり、各列の円筒ころをそれぞれ保持する各列の保持器は互いに前記環状部の側で対向し、これら各列の保持器の間隔が０．４ないし０．６ｍｍであるころ軸受。
【請求項１１】
ころ軸受に用いられ、環状部およびこの環状部の周方向複数箇所から櫛歯状に突出した複数の柱部を有し、隣合う柱部の間が、ころを保持するポケットとなる櫛状の保持器において、
前記保持器の前記各柱部に、この柱部のころ案内機能を果たす部分である柱部本体の先端から延長しで、潤滑油を保持する機能を奏する部分である柱部延長部を設け、
前記保持器の前記柱部延長部におけるころ対向面の断面形状が、全面において、前記柱部本体におけるころ対向面よりもころ外周面から離れる断面形状であり、
かつ前記柱部延長部のころ配列ピッチ円付近となる径方向部分に、潤滑剤を保持する潤滑剤保持凹部を設けた、
ことを特徴とするころ軸受用保持器。
【発明の詳細な説明】
【技術分野】
【０００１】
この発明は、工作機械用主軸等の高速スピンドルの支持に用いられるころ軸受に関する。
【背景技術】
【０００２】
周知のように、マシニングセンタ、ＣＮＣ旋盤、フライス盤等の工作機械においては、主軸はハウジングに対して軸受で回転自在に支持されるのが通例であって、この主軸の向きは、機械形式によって、縦軸（軸線が鉛直方向に向いたもの）と横軸（軸線が水平方向に向いたもの）とに大別される。また、この主軸を支持する軸受の潤滑方式は、使用条件等に応じて、グリース潤滑やエアオイル潤滑等の油潤滑が採用されると共に、その軸受形式としては、組合せアンギュラ玉軸受や円筒ころ軸受が一般に広く使用されている。
【０００３】
この場合、工作機械の主軸の支持に用いられる円筒ころ軸受は、内輪と外輪との相互間に所定間隔おきに複数の円筒ころを保持しておくための保持器を備えているのが通例である。そして、この保持器としては、従来より高力黄銅鋳物のもみ抜き（削り出し）保持器が主に使用されてきたが、運転時の保持器の摩耗粉による潤滑剤劣化の問題や軽量化の点から、近年においては合成樹脂製保持器への切り換えが進むに至っている。
【０００４】
現在使用されている円筒ころ軸受の合成樹脂製保持器として、環状部およびこの環状部の周方向複数箇所から櫛歯状に突出した柱部を有し、隣合う柱部の間のポケットで円筒ころを保持する櫛形のものが公知となっている（例えば特許文献１，２，３）。
【先行技術文献】
【特許文献】
【０００５】
【特許文献１】特開２００５−１４０２６９号公報
【特許文献２】特開２００５−１６３９９７号公報
【特許文献３】特開２００４−１６２８１８号公報
【発明の概要】
【発明が解決しようとする課題】
【０００６】
この種の櫛形の保持器は、柱部の先端が自由端であるため、特に高速回転時において、柱部の先端が遠心力で外径側へ弾性変形することにより、変形した柱部の円周方向側面の先端側内周部が円筒ころの外周面と接触する可能性がある。これを避けるため、柱部はあまり長くしないのが良いとされ、一般的には、図７に示すように、保持器４の柱部６の長さＡは円筒ころ３の軸方向長さＬの７０％程度が好ましいとされている。
【０００７】
しかし、上記のように柱部６の長さＡを円筒ころ３の軸方向長さＢよりも短くすると、長時間運転した場合に、円筒ころ３の外周面３ａにおける柱部６と対向しない箇所（交差したハッチングで示す箇所）の潤滑剤保持力が低下し、潤滑不良による油焼けや摩耗が発生することが試験により明らかになった。
【０００８】
この発明の目的は、ころ外周面で潤滑不良が生じにくい櫛形の保持器を備えたころ軸受を提供することである。
この発明の他の目的は、ころ外周面で潤滑不良が生じにくい櫛形の保持器を提供することである。
【課題を解決するための手段】
【０００９】
この発明のころ軸受は、内輪と外輪との間に、保持器に保持された複数のころが介在し、前記保持器が、環状部およびこの環状部の周方向複数箇所から櫛歯状に突出した複数の柱部を有し、隣合う柱部の間が、ころを保持するポケットとなる櫛形の保持器である。前記保持器の前記各柱部に、この柱部のころ案内機能を果たす部分である柱部本体の先端から延長して、潤滑剤を保持する機能を奏する柱部延長部を設け、前記保持器の前記柱部延長部におけるころ対向面の断面形状が、全面において、前記柱部本体におけるころ対向面よりもころ外周面から離れる断面形状であり、かつ前記柱部延長部のころ配列ピッチ円付近となる径方向部分に、潤滑剤を保持する潤滑剤保持凹部を設けたことを特徴とする。
【００１０】
この構成によると、保持器の柱部に、この柱部のころ案内機能を果たす部分である柱部本体の先端から延長して、潤滑剤を保持する機能を奏する柱部延長部が設けられているため、ころ外周面における柱部によって案内される領域よりも先端側の領域でも潤滑剤を保持できる。しかも、柱部延長部のころ配列ピッチ円付近となる径方向部分に、潤滑剤を保持する潤滑剤保持凹部が設けられているため、潤滑剤の保持力がより一層高まり、潤滑性が極めて良好である。保持器の柱部延長部におけるころ対向面の断面形状が、全面において、柱部本体におけるころ対向面よりもころ外周面から離れる断面形状であるため、高速回転時に柱部の先端が遠心力で外径側へ弾性変形した場合でも、変形した柱部延長部がころ外周面と接触しない。
【００１１】
この発明において、前記保持器の前記柱部本体の長さはころ長さよりも短く、かつ前記柱部延長部の先端がころ端面よりも突出しているのがよい。
柱部本体の長さをころ長さよりも短くすることで、高速回転時に柱部本体が遠心力で外径側へ弾性変形した場合でも、柱部本体の先端の変形量を少なくして、変形した柱部本体がころ外周面と接触するのを防ぐことができる。また、柱部延長部の先端をころ端面よりも突出させることにより、確実にころ外周面の全域にわたって潤滑剤を保持させることができる。
【００１２】
この発明において、前記保持器の前記柱部における前記潤滑剤保持凹部は、前記柱部延長部の全長にわたって設けるのが望ましい。
潤滑剤保持凹部を柱部延長部の全長にわたって設ければ、柱部延長部の全長にわたって潤滑剤の保持力を高くできる。
【００１３】
この発明において、前記保持器の前記柱部延長部における前記ころ対向面の径方向の外径端に、ポケット内側に突出する鍔状部を設け、この鍔状部の先端位置を、前記柱部本体のころ対向面よりも微小寸法だけころ外周面から離れる位置としてもよい。その場合、前記保持器の前記柱部延長部のころ対向面の断面形状を、前記鍔状部を除く全体が前記潤滑剤保持凹部となる形状とするのが望ましい。
保持器の柱部延長部におけるころ対向面の径方向の外径端に設けた鍔状部により、回転時の遠心力による潤滑剤保持凹部から潤滑剤の漏れを防ぐことができる。鍔状部を除く柱部延長部のころ対向面の全体が潤滑剤保持凹部であれば、潤滑剤保持凹部により十分な量の潤滑剤を確保することができる。
【００１４】
この発明において、前記保持器の前記柱部延長部の保持器径方向の厚さを、内径側面および外径側面が共に前記柱部本体と同じ径方向位置となる厚さとしてもよく、あるいは、前記保持器の前記柱部延長部の保持器径方向の厚さを、内径側端が前記柱部本体よりも大径で、かつ外径側端が前記柱部本体と同じ径方向位置となる厚さとしてもよい。
前者の場合、潤滑剤保持凹部の潤滑剤保持力が大ききという利点があり、後者の場合、保持器重量を小さくして遠心力による柱部の変形量を抑えられるという利点がある。ころ軸受のサイズ、用途等の条件に応じて選択すればよい。
【００１５】
この発明において、前記保持器の前記柱部延長部における前記ころ対向面の径方向の外径端および内径端に、ポケット内側へ突出する鍔状部を設け、これら鍔状部の先端位置を、前記柱部本体のころ対向面よりも微小寸法だけ外周面から離れる位置としてもよい。その場合、前記保持器の柱部延長部における、両側のころ対向面の前記潤滑剤保持凹部間を貫通する貫通孔を設けるとよい。
保持器の柱部延長部におけるころ対向面の径方向の外径端に設けた鍔状部により、回転時の遠心力による潤滑剤保持凹部からの潤滑剤の漏れを防ぐことができることに加えて、内径端に設けた鍔状部により、停止時に潤滑剤保持凹部から潤滑剤が漏れるのを防ぐことができる。両側のころ対向面の潤滑剤保持凹部間を貫通する貫通孔を設ければ、潤滑剤の保持量を多くすることができると共に、各ポケット間で潤滑剤が移動可能となることで、ころ外周面への潤滑油の供給が良好に行われ、潤滑寿命を延長させられる。
【００１６】
この発明において、ころ軸受は複列の円筒ころ軸受とすることができる。その場合、各列の円筒ころをそれぞれ保持する各列の保持器は互いに前記環状部の側で対向し、これら各列の保持器の間隔が０．４ないし０．６ｍｍであるのが望ましいことが、試験により明らかとなった。
【００１７】
この発明のころ軸受用保持器は、ころ軸受に用いられ、環状部およびこの環状部の周方向複数箇所から櫛歯状に突出した複数の柱部を有し、隣合う柱部の間が、ころを保持するポケットとなる櫛状の保持器である。前記保持器の前記各柱部に、この柱部のころ案内機能を果たす部分である柱部本体の先端から延長しで、潤滑油を保持する機能を奏する部分である柱部延長部を設け、前記保持器の前記柱部延長部におけるころ対向面の断面形状が、全面において、前記柱部本体におけるころ対向面よりもころ外周面から離れる断面形状であり、かつ前記柱部延長部のころ配列ピッチ円付近となる径方向部分に、潤滑剤を保持する潤滑剤保持凹部を設けたことを特徴とする。
【００１８】
この構成によると、保持器の柱部に、この柱部のころ案内機能を果たす部分である柱部本体の先端から延長して、潤滑剤を保持する機能を奏する柱部延長部が設けられているため、ころ外周面における柱部の先端側の領域でも潤滑剤を保持できる。しかも、柱部延長部のころ配列ピッチ円付近となる径方向部分に、潤滑剤を保持する潤滑剤保持凹部を設けられているため、潤滑剤の保持力がより一層高まり、潤滑性が極めて良好である。保持器の柱部延長部におけるころ対向面の断面形状が、全面において、柱部本体におけるころ対向面よりもころ外周面から離れる断面形状であるため、高速回転時に柱部の先端が遠心力で外径側へ弾性変形した場合でも、変形した柱部延長部がころ外周面と接触しない。
【発明の効果】
【００１９】
この発明のころ軸受は、内輪と外輪との間に、保持器に保持された複数のころが介在し、前記保持器が、環状部およびこの環状部の周方向複数箇所から櫛歯状に突出した複数の柱部を有し、隣合う柱部の間が、ころを保持するポケットとなる櫛形の保持器であるころ軸受において、前記保持器の前記各柱部に、この柱部のころ案内機能を果たす部分である柱部本体の先端から延長して、潤滑剤を保持する機能を奏する柱部延長部を設け、前記保持器の前記柱部延長部におけるころ対向面の断面形状が、全面において、前記柱部本体におけるころ対向面よりもころ外周面から離れる断面形状であり、かつ前記柱部延長部のころ配列ピッチ円付近となる径方向部分に、潤滑剤を保持する潤滑剤保持凹部を設けたため、ころ外周面で潤滑不良が生じにくい。
【００２０】
この発明のころ軸受用保持器は、ころ軸受に用いられ、環状部およびこの環状部の周方向複数箇所から櫛歯状に突出した複数の柱部を有し、隣合う柱部の間が、ころを保持するポケットとなる櫛状の保持器において、前記保持器の前記各柱部に、この柱部のころ案内機能を果たす部分である柱部本体の先端から延長しで、潤滑油を保持する機能を奏する部分である柱部延長部を設け、前記保持器の前記柱部延長部におけるころ対向面の断面形状が、全面において、前記柱部本体におけるころ対向面よりもころ外周面から離れる断面形状であり、かつ前記柱部延長部のころ配列ピッチ円付近となる径方向部分に、潤滑剤を保持する潤滑剤保持凹部を設けたため、ころ外周面で潤滑不良が生じにくい。
【図面の簡単な説明】
【００２１】
【図１】（Ａ）はこの発明の実施形態にかかるころ軸受の断面図、（Ｂ）はそのＩＡ−ＩＡ断面のころおよび保持器を示す図である。
【図２】同ころ軸受の異なる状態を示す断面図である。
【図３】（Ａ）はこの発明の異なる実施形態にかかるころ軸受の断面図、（Ｂ）はそのIIIＢ−IIIＢ断面のころおよび保持器を示す図である。
【図４】（Ａ）はこの発明のさらに異なる実施形態にかかるころ軸受の断面図、（Ｂ）はそのVIＢ−VIＢ断面のころおよび保持器を示す図である。
【図５】（Ａ）はこの発明のさらに異なる実施形態にかかるころ軸受の断面図、（Ｂ）はそのＶＢ−ＶＢ断面のころおよび保持器を示す図である。
【図６】（Ａ）はこの発明のさらに異なる実施形態にかかるころ軸受の断面図、（Ｂ）はそのVIＢ−VIＢ断面のころおよび保持器を示す図である。
【図７】（Ａ）は従来のころ軸受の断面図、（Ｂ）はそのVIIＢ−VIIＢ断面のころおよび保持器を示す図である。
【発明を実施するための形態】
【００２２】
この発明の第１の実施形態を図１および図２と共に説明する。このころ軸受は、複列円筒ころ軸受であり、複列の軌道面１ａを有する内輪１と、複列の軌道面２ａを有する外輪２と、これら内外輪１，２の軌道面１ａ，２ａ間に介在させた各列複数の円筒ころ３と、各列の円筒ころ３をそれぞれ保持する一対の保持器４とを備える。内輪１は、複列の軌道面１ａ間に中鍔１ｂおよび各軌道面１ａの軸方向外側に外鍔１ｃをそれぞれ有する鍔付き内輪であり、図示しない主軸の外径面に嵌合する。外輪２は鍔無しであり、図示しない軸受箱内に固定される。ころ軸受は、内部空間に油やグリース等の潤滑剤を封入して使用される。
【００２３】
保持器４は、例えば、ポリエーテルエーテルケトン樹脂（ＰＥＥＫ）、ポリアミド樹脂（ＰＡ：ＰＡ６６：ＰＡ４６）、ポリフェニレンサルファイド樹脂（ＰＰＳ）等の自己潤滑性を有する合成樹脂（必要に応じてカーボンファイバ（ＣＦ）、グラスファイバ（ＧＦ）等の充填材を所要量配合する。）を射出成形して形成される。
【００２４】
保持器４は、環状部５およびこの環状部５の周方向複数箇所から櫛歯状に突出した複数の柱部６を有し、隣合う柱部６の間が、円筒ころ３を保持するポケット７となる櫛形をしている。柱部６は、円筒ころ３の案内機能を果たす部分である柱部本体６ａと、この柱部本体６ａの先端から延長して、潤滑剤を保持する機能を奏する柱部延長部６ｂとでなる。柱部本体６ａの断面形状は、両側面が、円筒ころ３の外周面３ａに沿う断面円弧状に形成されている。柱部延長部６ｂの断面形状については、後で説明する。
【００２５】
柱部本体６ａの軸方向長さＡは、円筒ころ３の軸方向長さＬよりも短い。例えば、ＡはＬの６０〜８０％とするのが良く、７０％程度が最も好ましい。また、柱部本体６ａと柱部延長部６ｂを合わせた柱部６全体の軸方向長さ（Ａ＋Ｂ）は、円筒ころ３の軸方向長さＬよりも長い。よって、柱部延長部６ｂの先端は、円筒ころ３の端面よりも突出している（突出量Ｃ）。なお、図１（Ａ）は、各列の保持器４が互いに接触した状態を示すが、図２に示すように、柱部本体６ａの基端と円筒ころ３の軸受中心側の端面とが同一軸方向位置にある状態では、各列の保持器４間に隙間（隙間寸法Ｄ）が生じる。各保持器４は隙間寸法Ｄの範囲内で軸方向に移動可能である。この隙間寸法Ｄは、軸受サイズによって異なるが、０．４〜０．６ｍｍ程度が望ましいことが試験によって分かった。隙間寸法Ｄ＝０である場合でも、前記突出量Ｃ≧０となるように柱部延長部６ｂの寸法が定められている。
【００２６】
柱部延長部６ｂにおけるころ対向面６ｂａの断面形状は、全面において、柱部本体６ａにおけるころ対向面６ａａよりもころ外周面３ａから離れる断面形状である。言い換えると、柱部延長部６ｂは、ポケット内面となる側面の全体を、円筒ころ３に対して非接触となるように、柱部本体６ａのポケット内面よりも柱部６の柱幅中心側へ凹ました形状をしている。詳しくは、柱部延長部６ｂにおけるころ対向面６ｂａの径方向外径端に、ポケット７の内側へ突出する鍔状部８が設けられている。この鍔状部８の先端位置は、柱部本体６ａのころ対向面６ａａよりも微小寸法δだけころ外径面３ａから離れた位置とされている。つまり、鍔状部８の箇所で、ポケット７の周方向幅を狭くしてある。鍔状部８の先端面は、円筒ころ３の外周面３ａに沿う断面円弧状、またはテーパ面とされている。
【００２７】
柱部延長部６ｂにおけるころ対向面６ｂａの鍔状部８を除く全体は、潤滑剤を保持する潤滑剤保持凹部９になっている。この潤滑剤保持凹部９は、柱部延長部６ｂのころ配列ピッチ円ｐｃｄ付近となる径方向部分を含んでいる。また、潤滑剤保持凹部９は、柱部延長部６ｂの全長にわたって設けられている。柱部延長部６ｂにおけるころ対向面６ｂａの鍔状部８を除く部分の断面形状は、保持器円周方向の幅が一定の矩形状とされている。
【００２８】
柱部延長部６ｂの保持器径方向の厚さは、内径側面および外径側面が共に柱部本体６ａと同じ径方向位置となる厚さである。つまり、柱部延長部６ｂの外径側面および内径側面が、柱部６全体の外径側面および内径側面からそのまま延びている。
【００２９】
この構成によると、保持器４の柱部６に、この柱部６のころ案内機能を果たす部分である柱部本体６ａの先端から延長して、潤滑剤を保持する機能を奏する柱部延長部６ｂが設けられ、この柱部延長部６ｂの先端を円筒ころ３の端面よりも突出させてあるため、ころ外周面３ａの全域にわたって潤滑剤を保持できる。しかも、柱部延長部６ｂのころ配列ピッチ円ｐｃｄ付近となる径方向部分から内径側にかけて、潤滑剤を保持する潤滑剤保持凹部９が柱部延長部６ｂの全長にわたって設けられているため、潤滑剤の保持力がより一層高まり、潤滑性が極めて良好である。
【００３０】
保持器４の柱部延長部６ｂにおけるころ対向面６ｂａの径方向の外径端に鍔状部８が設けられているため、回転時の遠心力による潤滑剤保持凹部９から潤滑剤の漏れを防ぐことができる。また、鍔状部８を除く柱部延長部６ｂのころ対向面６ｂａの全体が潤滑剤保持凹部９であるため、潤滑剤保持凹部９により十分な量の潤滑剤を確保することができる。
【００３１】
保持器４の柱部本体６ａの軸方向長さＡが円筒ころ３の軸方向長さＬよりも短いため、高速回転時に柱部本体６ａが遠心力で外径側へ弾性変形した場合でも、柱部本体６ａの先端の変形量が少なく、変形した柱部本体６ａが円筒ころ３の外周面３ａと接触しない。また、柱部本体６ａから先の延びる柱部延長部６ｂは、そのころ対向面６ｂａの断面形状が、全面において、柱部本体６ａにおけるころ対向面６ａａよりもころ外周面３ａから離れる断面形状であるため、高速回転時に柱部延長部６ｂの先端が遠心力で外径側へ弾性変形した場合でも、変形した柱部延長部６ｂが円筒ころ３と接触しない。
【００３２】
図３はこの発明の異なる実施形態を示す。このころ軸受は、保持器４の柱部延長部６ｂの保持器径方向の厚さを、内径側端が柱部本体６ａよりも大径で、かつ外径側端が柱部本体６ａと同じ径方向位置となる厚さとしている。すなわち、柱部延長部６ｂの保持器径方向の厚さが、柱部本体６ａの保持器径方向の厚さよりも、寸法Ｅだけ薄くなっている。柱部延長部６ａの内径側端の両側の周縁共に、断面円弧状の面取り形状とされている。この構成とすることにより、保持器４の重量を小さくして遠心力による柱部６の変形量を抑えることができる。その他の構成、効果は、図１および図２に示す第１の実施形態と同様である。
【００３３】
図４はさらに異なる実施形態を示す。このころ軸受は、保持器４の柱部延長部６ｂにおけるころ対向面６ｂａの径方向の外径端および内径端に、ポケット内側へ突出する鍔状部８，１０が設けられている。これら鍔状部８，１０の先端位置は、柱部本体６ａのころ対向面６ａａよりもそれぞれ微小寸法δ１，δ２だけ外周面から離れる位置とされている。δ１，δ２の値は、同じであっても異なっていてもよい。この構成であると、前記同様、外径端に設けた鍔状部８により、回転時の遠心力による潤滑剤保持凹部９から外径側へ潤滑剤が漏れるのを防ぐことができることに加えて、内径端に設けた鍔状部１０により、停止時に潤滑剤保持凹部９から内径側へ潤滑剤が漏れるのを防ぐことができる。その他の構成、効果は、図１および図２に示す第１の実施形態と同様である。
【００３４】
図５はさらに異なる実施形態を示す。このころ軸受は、図４のころ軸受に対し、保持器４の柱部延長部６ｂにおける、両側のころ対向面６ｂａの潤滑剤保持凹部９間を貫通する貫通孔１１を設けたものである。この実施形態では、貫通孔１１は軸方向に長い長孔形状であり、柱部延長部６ｂの基端から円筒ころ３の端面よりも軸受外側の箇所にかけて設けられている。貫通孔９の両側の開口周縁は、断面円弧状の面取形状とされている。このような貫通孔１１を設ければ、貫通孔１１の分だけ潤滑剤を多く保持することができると共に、貫通孔１１を介して各ポケット７間で潤滑剤が移動可能となるため、円筒ころ３の外周面３ａへの潤滑油の供給が良好に行われ、潤滑寿命を延長させられる。その他の構成、効果は、図１および図２に示す第１の実施形態と同様である。
【００３５】
図６に示すころ軸受のように、柱部延長部６ｂのさらに先端側に、柱部本体６ａと同じ断面形状をした柱部先端部６ｃを設けてもよい。柱部先端部６ｃは、円筒ころ３の端面よりも常時突出しているため、柱部本体６ａと同じ断面形状であっても、遠心力で弾性変形した場合に円筒ころ３に接触することがない。その他の構成、効果は、図１および図２に示す第１の実施形態と同様である。
【００３６】
この発明は、複列の円筒ころ軸受に限らす、他の形式のころ軸受にも、また単列のころ軸受にも適用できる。
【符号の説明】
【００３７】
１…内輪
２…外輪
３…円筒ころ
３ａ…ころ外周面
４…保持器
５…環状部
６…柱部
６ａ…柱部本体
６ａａ…柱部本体のころ対向面
６ｂ…柱部延長部
６ｂａ…柱部延長部のころ対向面
７…ポケット
８，１０…鍔状部
９…潤滑剤保持凹部
１１…貫通孔
ｐｃｄ…ころ配列ピッチ円
【図１】
2011069460.tif 000003
【図２】
2011069460.tif 000004
【図３】
2011069460.tif 000005
【図４】
2011069460.tif 000006
【図５】
2011069460.tif 000007
【図６】
2011069460.tif 000008
【図７】
2011069460.tif 000009